(57)【要約】【課題】  光ディスクに対してデータを記録するときに実行するＯＰＣで光ディスクに対する最適記録パワーが検出できないという事態の発生を抑えることで、光ディスクのＰＣＡの使用量を低減し、装置本体の信頼性を向上させた光ディスク装置を提供する。【解決手段】  光ディスク装置１は、記録／読取部５のＰＵ１１近傍の温度を検出し、ここで検出した温度に基づいて、ＯＰＣにおいて、光ディスク１０に照射するレーザ光のパワーを段階的に変化させる範囲を、そのときのＰＵ１１近傍の温度に基づいて決定する。ここで決定する範囲は、規格上のＯＰＣと同じ段階数である。すなわち、ＯＰＣにおいて、光ディスク１０に照射するレーザ光のパワーを段階的に変化させる範囲の幅は、規格上のＯＰＣと同じ幅である。光ディスク装置１は、ここで決定した範囲でＯＰＣを実行する。【選択図】  図１
2007080348.tif 000002
【特許請求の範囲】
【請求項１】
本体にセットされている光ディスクにレーザ光を照射し、この光ディスクにデータを記録する記録手段と、
前記記録手段による光ディスクへのデータの記録開始に先立って、この光ディスクの所定の記録領域で照射するレーザ光のパワーを予め定められた範囲で段階的に変化させながらテストデータを記録し、今回の光ディスクへのデータの記録におけるレーザ光の最適記録パワーを検出する最適記録パワー検出手段と、を備え、
前記記録手段は、前記最適記録パワー検出手段により検出された最適記録パワーのレーザ光を光ディスクに照射し、この光ディスクにデータを記録する手段である光ディスク装置において、
光ディスクにレーザ光を照射する発光素子近傍の温度を検出する温度検出手段と、
前記温度検出手段により検出された温度に基づいて、前記最適記録パワー検出手段により最適記録パワーを検出するときにレーザ光のパワーを段階的に変化させる範囲について、その幅の大きさを変えることなく、その中心パワーを決定する中心パワー決定手段と、
光ディスクにレーザ光を照射する発光素子周辺の温度と、前記中心パワーと、の関係を示す温度補正データを記憶する温度補正データ記憶手段と、を備え、
前記中心パワー決定手段は、前記温度補正データ記憶手段が記憶する温度補正データを用いて中心パワーを決定する手段であり、
さらに、前記最適記録パワー検出手段により検出された最適記録パワーに応じて、前記温度補正データ記憶手段が記憶する温度補正データを修正する温度補正データ修正手段を備えた光ディスク装置。
【請求項２】
本体にセットされている光ディスクにレーザ光を照射し、この光ディスクにデータを記録する記録手段と、
前記記録手段による光ディスクへのデータの記録開始に先立って、この光ディスクの所定の記録領域で照射するレーザ光のパワーを予め定められた範囲で段階的に変化させながらテストデータを記録し、今回の光ディスクへのデータの記録におけるレーザ光の最適記録パワーを検出する最適記録パワー検出手段と、を備え、
前記記録手段は、前記最適記録パワー検出手段により検出された最適記録パワーのレーザ光を光ディスクに照射し、この光ディスクにデータを記録する手段である光ディスク装置において、
装置本体内部の温度を検出する温度検出手段と、
前記温度検出手段により検出された温度に基づいて、前記最適記録パワー検出手段により最適記録パワーを検出するときにレーザ光のパワーを段階的に変化させる範囲について、その幅の大きさを変えることなく、その中心パワーを決定する中心パワー決定手段と、を備えた光ディスク装置。
【請求項３】
光ディスクにレーザ光を照射する発光素子周辺の温度と、前記中心パワーと、の関係を示す温度補正データを記憶する温度補正データ記憶手段を備え、
前記中心パワー決定手段は、前記温度補正データ記憶手段が記憶する温度補正データを用いて中心パワーを決定する手段である請求項２に記載の光ディスク装置。
【請求項４】
前記最適記録パワー検出手段により検出された最適記録パワーに応じて、前記温度補正データ記憶手段が記憶する温度補正データを修正する温度補正データ修正手段を備えた請求項３に記載の光ディスク装置。
【請求項５】
前記温度検出手段は、光ディスクにレーザ光を照射する発光素子近傍の温度を検出する手段である請求項２〜４のいずれかに記載の光ディスク装置。
【発明の詳細な説明】
【技術分野】
【０００１】
この発明は、データをＣＤやＤＶＤ等の光ディスクに記録する光ディスク装置に関する。
【背景技術】
【０００２】
従来、入力されたデータをＣＤ−ＲやＤＶＤ−Ｒ等の追記型の光ディスクに記録する光ディスク装置が一般に普及している。追記型の光ディスクは、周知のように、記録領域にに対するデータの記録が１回だけ行える。すなわち、記録したデータについて、書換、消去等が行えない光ディスクである。データを記録する機能を有する光ディスク装置では、光ディスクへのデータの記録に先立って、データの記録時に光ディスクに照射するレーザ光の最適記録パワーを検出するＯＰＣ（Ｏｐｔｉｍｕｎ  Ｐｏｗｅｒ  Ｃｏｎｔｒｏｌ）を実行する。ＯＰＣは、周知のように、光ディスクの内周側に設けられたＰＣＡ（Ｐｏｗｅｒ  Ｃａｌｉｂｒａｔｉｏｎ  Ａｒｅａ）で、光ディスクに照射するレーザ光のパワーを予め定められた範囲で段階的に変化させながらテストデータを記録し、この光ディスクに対して適正にデータが記録されたときのレーザ光のパワー（最適記録パワー）を検出する処理である。
【０００３】
ところで、光ディスクに設けられているＰＣＡは、規格上のＯＰＣが１００回行える大きさである。言い換えれば、ＯＰＣを１００回行うと、これ以上ＯＰＣを行うことができない。したがって、ＯＰＣを１００回行った光ディスクにおいては、この光ディスクのデータの記録領域にデータを記録していない未記録領域があっても、これ以上ＯＰＣを行うことができず、この光ディスクの未記録領域が無駄になる。そこで、ＰＣＡを有効に使用することにより、ＰＣＡ領域の不足によりデータを記録することができなくなる光ディスクの未記録領域、すなわちＰＣＡ領域を使い切ったときに存在する光ディスクの未記録領域、を低減する提案が種々なされている（例えば、特許文献１、２参照）。
【０００４】
特許文献１は、データの記録が１回目である光ディスクについては、規格上のＯＰＣを実行し、最適記録パワーを検出する。規格上のＯＰＣでは、光ディスクに照射するレーザ光のパワーは１５段階であり、０．５ｍＷ間隔で光ディスクに照射するレーザ光のパワーを変化させる。この１回目のＯＰＣにおいて、このときのピックアップヘッド周辺の温度と、この光ディスクに対する最適記録パワーと、を対応付けて装置本体に記録する。また、今回のＯＰＣ（１回目のＯＰＣ）の結果に基づいて、ピックアップヘッド周辺の温度範囲と、その温度範囲に対してＯＰＣを実行するときに光ディスクに照射するレーザ光を変化させる範囲を設定する。ここで設定する範囲は、規格に対応したＯＰＣよりも狭い範囲であり、例えばレーザ光を変化させる段階数が５段階である範囲を設定する。このピックアップヘッド周辺の温度範囲と、その温度範囲に対してＯＰＣを実行するときに光ディスクに照射するレーザ光を変化させる範囲と、を対応付けたデータも装置本体に記憶する。レーザ光を変化させる間隔は、規格上のＯＰＣと同じ０．５ｍＷ間隔である。さらに、データの記録が２回目以降であるときには、装置本体が今回データを記録する光ディスクについて、この時点におけるピックアップヘッド周辺の温度に対応付けて最適記録パワーを記憶していれば、ＯＰＣを実行することなく、記憶している最適記録パワーでこの光ディスクに対するデータの記録を行う。また、この時点におけるピックアップヘッド周辺の温度に対応付けて最適記録パワーを記憶していなければ、この時点におけるピックアップヘッド周辺の温度に対して設定されている範囲でのＯＰＣを実行し、最適記録パワーを検出する。このように、特許文献１は、データの記録が２回目以降であるときに使用する光ディスクのＰＣＡを低減する構成である。
【０００５】
また、特許文献２は、ＯＰＣを実行したときに、その時の記録にかかるパラメータ（周辺温度、記録速度、記録パワー、装置番号等）をＰＣＡに記録する。また、光ディスクのＰＣＡに記録されているパラメータと同じ条件であれば、ＯＰＣを実行することなく、光ディスクへのデータの記録を記録パラメータに含まれている記録パワーで行うことで、光ディスクのＰＣＡの使用を低減する構成である。
【特許文献１】特開２０００−２２２７３２号公報
【特許文献２】特開２０００−２９３８５４号公報
【発明の開示】
【発明が解決しようとする課題】
【０００６】
しかしながら、特許文献１、２等の従来の光ディスク装置は、光ディスクへのデータを記録するとき、ピックアップヘッド周辺の温度等が、この光ディスクに対して以前にＯＰＣを実行したときと同じであれば、今回の記録における最適記録パワーが以前にＯＰＣ実行したときに得た最適記録パワーであるという前提の下になされている。一方、光ディスクにデータを記録するときの最適記録パワーに影響を与える要因は多種多様である。このため、特許文献１、２で提案されているように、ＯＰＣを実行せずに光ディスクへのデータの記録を行うと、光ディスクに対するデータの記録が適正に行われないという事態が生じる頻度が増大し、装置本体の信頼性を低下させるという問題があった。
【０００７】
また、光ディスクのＰＣＡは、規格上のＯＰＣが１００回行える大きさであり、単一の光ディスクに対してデータの記録を１０１回以上行うことは稀なケースである。光ディスクのＰＣＡを使い切ってしまう主な原因は、光ディスクへのデータの記録において、ＯＰＣを複数回実行することである。具体的にいうと、規格に対応したＯＰＣを実行したときに、このＯＰＣで光ディスクに対する最適記録パワーが検出できなかった場合（ＯＰＣが失敗した場合）、ＯＰＣを再度実行して最適記録パワーを検出しなければならない。このＯＰＣの再実行では、今回失敗したＯＰＣにおいてレーザ光のパワーを変化させた範囲と、異なる範囲でレーザ光のパワーを変化させる。このように、光ディスクに対してデータを記録するときに実行したＯＰＣで光ディスクに対する最適記録パワーが検出できず、再度ＯＰＣを実行することが、光ディスクのＰＣＡを使い切ってしまう主な原因である。
【０００８】
また、特許文献１で示されているように、ＯＰＣにおけるレーザ光のパワーを段階的に変化させる範囲の幅を規格よりも狭くすると、ＯＰＣに失敗する可能性が増大し、結果的にＰＣＡの使用量が嵩むという問題があるとともに、最適記録パワーが検出されるまでに要する時間も長くなり、結果的に記録処理に要する時間が増大するという問題がある。
【０００９】
この発明の目的は、光ディスクに対してデータを記録するときに実行するＯＰＣで光ディスクに対する最適記録パワーが検出できないという事態、すなわちＯＰＣが失敗する事態、の発生を抑えることで、光ディスクのＰＣＡの使用量を低減し、装置本体の信頼性を向上させた光ディスク装置を提供することにある。
【課題を解決するための手段】
【００１０】
この発明の光ディスク装置は、上記課題を解決するために以下の構成を備えている。
【００１１】
（１）本体にセットされている光ディスクにレーザ光を照射し、この光ディスクにデータを記録する記録手段と、
前記記録手段による光ディスクへのデータの記録開始に先立って、この光ディスクの所定の記録領域で照射するレーザ光のパワーを予め定められた範囲で段階的に変化させながらテストデータを記録し、今回の光ディスクへのデータの記録におけるレーザ光の最適記録パワーを検出する最適記録パワー検出手段と、を備え、
前記記録手段は、前記最適記録パワー検出手段により検出された最適記録パワーのレーザ光を光ディスクに照射し、この光ディスクにデータを記録する手段である光ディスク装置において、
装置本体内部の温度を検出する温度検出手段と、
前記温度検出手段により検出された温度に基づいて、前記最適記録パワー検出手段により最適記録パワーを検出するときにレーザ光のパワーを段階的に変化させる範囲について、その幅の大きさを変えることなく、その中心パワーを決定する中心パワー決定手段と、を備えている。
【００１２】
この構成では、最適記録パワー検出手段が、光ディスクに照射するレーザ光のパワーを段階的に変化させながら、この光ディスクの所定の記録領域（ＰＣＡ）にテストデータを記録し、この光ディスクに対する最適記録パワーを検出する処理（ＯＰＣ）を実行する。また、中心パワー決定手段が、温度検出手段により検出された装置本体内部の温度に基づいて、最適記録パワー検出手段がＯＰＣを実行するときに、レーザ光を段階的に変化させる範囲について、その幅の大きさを変えることなく、その中心パワーを決定する。ＯＰＣにおけるレーザ光のパワーを段階的に変化させる範囲の幅は、例えば規格上のＯＰＣと同じ幅である。また、装置本体内部の温度に基づいて、ＯＰＣにおけるレーザ光のパワーを段階的に変化させる範囲が決定される。
【００１３】
なお、発光素子周辺の温度が高くなるにつれて、光ディスクに照射するレーザ光の最適記録パワーが高くなることが、すでに確認されている。
【００１４】
このように、ＯＰＣにおけるレーザ光のパワーを段階的に変化させる範囲については、その幅の大きさを変化させずに、この範囲の中心パワーを本体内部の温度に基づいて決定する。したがって、ＯＰＣにおけるレーザ光のパワーを段階的に変化させる範囲を、温度だけでなく温度以外の要因も考慮した範囲にすることができ、この範囲内に最適記録パワーが略確実に存在する。したがって、実行したＯＰＣで最適記録パワーが検出できないという事態（ＯＰＣが失敗するという事態）の発生を、略確実に防止できる。これにより、光ディスクのＰＣＡの使用量が抑えられ、光ディスクのＰＣＡを使い切ったことが原因で、無駄になる光ディスクのデータの未記録領域を低減することができる。また、殆どの場合、ＯＰＣを再実行することがないので、最適記録パワーの検出に要する時間の増加が抑えられ、装置本体の信頼性を向上させることができる。
【００１５】
（２）光ディスクにレーザ光を照射する発光素子周辺の温度と、前記中心パワーと、の関係を示す温度補正データを記憶する温度補正データ記憶手段を備え、
前記中心パワー決定手段は、前記温度補正データ記憶手段が記憶する温度補正データを用いて中心パワーを決定する手段である。
【００１６】
この構成では、温度補正データ記憶手段が記憶する温度補正データに基づいて、ＯＰＣにおけるレーザ光のパワーを段階的に変化させる範囲の中心パワーが決定される。
【００１７】
（３）前記最適記録パワー検出手段により検出された最適記録パワーに応じて、前記温度補正データ記憶手段が記憶する温度補正データを修正する温度補正データ修正手段を備えている。
【００１８】
この構成では、中心パワー決定手段が、装置本体の使用環境や、各部の経時変化等による影響を考慮して、ＯＰＣにおけるレーザ光のパワーを段階的に変化させる範囲の中心パワーを適正に決定することができる。したがって、ＯＰＣで最適記録パワーが検出できないという事態が発生する可能性を一層低減できる。
【００１９】
（４）前記温度検出手段は、光ディスクにレーザ光を照射する発光素子近傍の温度を検出する手段である。
【００２０】
この構成では、温度による影響が十分に考慮され、中心パワー決定手段がＯＰＣにおけるレーザ光のパワーを段階的に変化させる範囲の中心パワーを一層適正に決定することができる。
【発明の効果】
【００２１】
この発明によれば、ＯＰＣにおけるレーザ光のパワーを段階的に変化させる範囲を、装置本体の内部の温度だけでなく、温度以外の要因による影響も考慮した範囲にできる。したがって、ＯＰＣで最適記録パワーが検出できないという事態（ＯＰＣが失敗するという事態）が発生するのを、略確実に防止できる。これにより、光ディスクのＰＣＡの使用量が抑えられ、光ディスクのＰＣＡを使い切ったことが原因で、無駄になる光ディスクのデータの未記録領域を低減することができる。また、最適記録パワーの検出に要する時間の増加も抑えられ、装置本体の信頼性を向上させることができる。
【発明を実施するための最良の形態】
【００２２】
以下、この発明の実施形態である光ディスク装置について説明する。
【００２３】
図１は、この発明の実施形態である光ディスク装置の主要部の構成を示すブロック図である。この実施形態の光ディスク装置１は、装置本体の動作を制御する制御部２と、装置本体にセットされている光ディスク１０に記録する映像や音声にかかる信号が入力される入力部３と、入力部３から出力された信号を光ディスク１０に記録する記録データに変換する記録データ処理部４と、記録データ処理部４で変換された記録データを光ディスク１０に記録したり、光ディスク１０に記録されているデータを読み取った読取信号（所謂ＲＦ信号）を出力する記録／読取部５と、記録／読取部５から出力された読取信号を処理する読取データ処理部６と、読取データ処理部６で処理されたデータに基づく映像や音声にかかる出力信号を出力する出力部７と、装置本体に対する入力操作を受け付ける操作部８と、を備えている。この実施形態の光ディスク装置１は、ＣＤやＤＶＤ等の光ディスク１０に対してデータの記録や、読取を行う装置である。
【００２４】
入力部３には、光ディスク１０に記録する映像や音声かかる信号（入力信号）が入力される。この入力信号は、例えばテレビ放送信号であったり、別の光ディスク装置から出力されている再生中のコンテンツにかかる信号である。入力部３は、入力される入力信号がアナログ信号である構成であってもよいし、ディジタル信号である構成であってもよいし、さｒにはアナログ信号、およびディジタル信号の両方である構成であってもよい。入力される入力信号がアナログ信号である入力部３は、入力信号を処理して、映像データおよび音声データを生成し、出力する。また、入力される入力信号がディジタル信号である入力部３は、入力信号から映像データおよび音声データを抽出し、出力する。入力される入力信号がアナログ信号およびディジタル信号の両方である入力部３は、上述したアナログ信号が入力される入力部およびディジタル信号が入力される入力部を有する構成である。記録データ処理部４には、入力部３から出力された映像データや音声データが入力される。記録データ処理部４は、入力された映像データ、および音声データをエンコードし、ビデオストリーム、およびオーディオストリームを生成するとともに、これらを所定の単位でパケット化し、多重化したシステムストリームを生成し、出力する。映像データ、および音声データのエンコードは、例えばＭＰＥＧで行われる。記録データ処理部４から出力されたシステムストリームは、記録／読取部５に入力される。
【００２５】
記録／読取部５は、図２に示すように、本体にセットされている光ディスク１０にレーザ光を照射し、その反射光を検出するピックアップヘッド１１（以下、ＰＵ１１と言う。）と、ＰＵ１１が光ディスク１０に照射するレーザ光のパワーを制御するレーザパワー制御部１２と、ＰＵ１１において検出された光ディスク１０からの反射光に基づいて公知のトラッキングエラー信号（ＴＥ信号）やフォーカスエラー信号（ＦＥ信号）等の制御信号や、光ディスク１０に記録されているデータの読取信号（ＲＦ信号）等を生成する信号処理部１３と、信号処理部１３で生成された制御信号に基づいてＰＵ１１に設けられている対物レンズを光ディスク１０に対して駆動するサーボ制御部１４と、ＰＵ１１の周辺の温度を検出する温度検出部１５と、を備えている。ＰＵ１１は、公知のように、光ディスク１０にレーザ光を照射する光源である発光素子、発光素子から出射されたレーザ光を光ディスク１０の記録面に集光する対物レンズ、および光ディスク１０からの反射光を検出する受光素子を有している。発光素子は、レーザダイオード（ＬＤ）であり、受光素子は縦、横にそれぞれ２分割された４分割のフォトダイオード（ＰＤ）である。対物レンズは、アクチュエータに取り付けられている。このアクチュエータが、対物レンズを光ディスク１０の半径方向、および光ディスク１０に対して接離する方向に移動する。また、ＰＵ１１は、光ディスク１０の半径方向に移動自在に取り付けられており、図示していないスレッドモータにより光ディスク１０の半径方向に移動される構成である。
【００２６】
レーザパワー制御部１２は、ＰＵ１１の発光素子であるＬＤから出力されるレーザ光のパワーを制御する。ＬＤから出力するレーザ光のパワーは、制御部２から指示される。信号処理部１３は、ＰＵ１１の４分割の受光素子（ＰＤ）の出力からＴＥ信号、ＦＥ信号、ＲＦ信号等を生成し出力する。周知のようにＴＥ信号は光ディスク１０のトラックの中心と、光ディスク１０におけるレーザ光の照射位置とのズレ量を示す信号であり、ＦＥ信号は光ディスク１０の記録面と、光ディスク１０におけるレーザ光の集光位置とのズレ量を示す信号である。サーボ制御部１４は、信号処理部１３で生成されたＴＥ信号、ＦＥ信号等に基づいて、ＰＵ１１の対物レンズやＰＵ１１本体を移動するトラッキングサーボ制御や、フォーカスサーボ制御を行う。トラッキングサーボ制御、フォーカスサーボ制御については、周知であるので、その詳細についてはここでは説明を省略する。温度検出部１５は、ＰＵ１１の近傍に配置された温度センサを有し、ＰＵ１１近傍の温度を検出する。温度検出部１５で検出されたＰＵ１１近傍の温度は、制御部２に入力される。記録／読取部５は、信号処理部１３で生成したＲＦ信号を出力する。このＲＦ信号が、読取データ処理部６に入力される。
【００２７】
なお、温度検出部１５は、装置本体内部の温度を検出する構成であれば特に問題はないが、ここでは温度による影響を十分に考慮するために、ＰＵ１１近傍の温度を検出する構成としている。
【００２８】
読取データ処理部６は、入力されたＲＦ信号を増幅し、この増幅したＲＦ信号を処理してビデオストリームおよびオーディオストリームが多重化されたシステムストリーム抽出する。また、ここで抽出したシステムストリームを処理して、ビデオストリームおよびオーディオストリームを得る。読取データ処理部６は、このビデオストリームおよびオーディオストリームを出力部７に入力する。出力部７は、入力されたビデオストリームに基づく映像信号を生成するとともに、オーディオストリームに基づく音声信号を生成し、これらを出力する。出力部７から出力された映像信号は、図示していない表示装置に入力され、この表示装置において映像が表示される。また、出力部７から出力された音声信号は、図示していないスピーカに入力され、このスピーカにおいて音声が出力される。操作部８には、装置本体に対する入力操作を行う複数の操作キーや、図示していないリモコン装置から送信されてきた制御コードを受信するリモコン受信部が設けられている。
【００２９】
さらに、制御部２は、光ディスク１０にデータを記録するのに先立って実行するＯＰＣにおいて、光ディスク１０に照射するレーザ光のパワーを段階的に変化させる範囲を決定するのに用いる温度補正データを記憶している。この温度補正データは、温度検出部１５で検出されたＰＵ１１近傍の温度と、ＯＰＣにおいてレーザ光のパワーを段階的に変化させる範囲の中心パワーと、を対応付けたものである（図３参照）。この実施形態の光ディスク装置１では、ＯＰＣにおいて光ディスク１０に照射するレーザ光のパワーを変化させる段階数が規格上のＯＰＣと同じ１５段階であり、ＯＰＣにおいて光ディスク１０に照射するレーザ光のパワーを変化させる幅の大きさは規格上のＯＰＣと同じである。一般に、温度が高くなるにつれて、光ディスク１０に対する最適記録パワーが高くなる。温度補正データは、図３に示すように、１度毎に中心パワー（８段階目のパワー）を対応付けたデータであり、ここでは実用的な温度範囲とした１８度から５０度の範囲における中心パワーを対応付けた温度補正データを制御部２に記憶させている。この温度補正データでは、異なる温度に同じ中心パワーが対応付けられている場合もある。例えば、図３に示す１８度、１９度には、同じ中心パワー１３．０ｍＷが対応付けられている。制御部２は、光ディスク１０へのデータの記録に先立ってＯＰＣを実行するときに、温度検出部１５がそのときに検出している温度に対応付けられている中心パワーを、今回実行するＯＰＣの中心パワーに決定し、これをレーザパワー制御部１２に通知する。このとき、温度検出部１５が検出しているＰＵ１１近傍の温度については、小数点以下を切り捨ててもよいし、小数点以下を切り上げてもよいし、さらには小数点以下を四捨五入してもよい。レーザパワー制御部１２は、制御部２から通知された中心パワーに基づいて、ＯＰＣ時に光ディスク１０に照射するレーザ光のパワーを段階的に変化させる。ＯＰＣでは、例えば０．５ｍＷ間隔で光ディスク１０に照射するレーザ光のパワーを段階的に変化させる。
【００３０】
なお、記録／読取部５が光ディスク１０に照射するレーザ光のパワーは、読取時に比べて、記録時のほうが大きい。
【００３１】
次に、この発明の実施形態である光ディスク装置の動作について説明する。この実施形態の光ディスク装置１は、本体にセットされている光ディスク１０に記録されているデータを再生する再生処理、および光ディスク１０にデータを記録する記録処理が行える。再生処理は、公知の光ディスク装置と同じである。ここでは簡単に説明しておく。光ディスク装置１は、記録／読取部５のＰＵ１１がレーザ光を光ディスク１０に照射し、その反射光を受光素子で検出する。このとき、レーザパワー制御部１２は、ＰＵ１１の発光素子の出力を予め定められている読取パワーに制御している。信号処理部１３は、ＰＵ１１の受光素子の出力、すなわち光ディスク１０からの反射光の検出信号、からＴＥ信号、ＦＥ信号、ＲＦ信号等を生成し出力する。サーボ制御部１４は、信号処理部１３で生成されたＴＥ信号に基づいてトラッキングサーボ制御を行い、ＦＥ信号に基づいてフォーカスサーボ制御を行う。また、信号処理部１３が生成したＲＦ信号は、読取データ処理部６に入力される。読取データ処理部６は、入力されたＲＦ信号を増幅し、ビデオストリームおよびオーディオストリームが多重化されたシステムストリーム抽出する。また、ここで抽出したシステムストリームを処理し、このシステムストリームをビデオストリームおよびオーディオストリームに分離して出力する。ビデオストリームおよびオーディオストリームは、出力部７に入力される。出力部７は、入力されたビデオストリームに基づく映像信号および入力されたオーディオストリームに基づく音声信号を生成し、出力する。出力部７から出力された映像信号は、表示装置に入力され、この表示装置において映像が表示される。また、出力部７から出力された音声信号は、図示していないスピーカに入力され、このスピーカから音声が出力される。
【００３２】
次に、この実施形態の光ディスク装置１における記録処理について説明する。図４は、この実施形態の光ディスク装置における記録処理を示すフローチャートである。この記録処理は、予め設定された録画予約データに基づいて開始されたり、操作部８に設けられている特定の操作キー（録画キー）が操作されたときや、リモコン装置に設けられている特定の操作キー（録画キー）が操作されたときに開始される。光ディスク装置１は、まずＯＰＣで光ディスク１０に照射するレーザ光のパワーを段階的に変化させる範囲を決定する範囲決定処理を実行する（ｓ１）。この範囲決定処理の詳細については後述する。
【００３３】
光ディスク装置１は、ｓ１で決定した範囲でＯＰＣを実行し（ｓ２）、今回のＯＰＣで最適記録パワーが検出できたかどうかを判定する（ｓ３）。ｓ３で最適記録パワーが検出できなかったと判定すると、光ディスク１０に照射するレーザ光のパワーを段階的に変化させる範囲を変更し（ｓ４）、ここで変更した範囲で再度ＯＰＣを実行し（ｓ５）、ｓ３に戻る。光ディスク装置１は、ｓ３で最適記録パワーが検出できたと判定すると、ここで検出された最適記録パワーのレーザ光を光ディスク１０に照射し、この光ディスク１０へのデータの記録を開始する（ｓ６）。光ディスク装置１は、光ディスク１０へのデータの記録を終了する終了タイミングになると（ｓ７）、ｓ６で開始した光ディスク１０へのデータの記録を停止し（ｓ８）、本処理を終了する。
【００３４】
光ディスク１０に記録されるデータは、入力部３に入力されている映像信号や音声信号に基づくデータである。また、レーザパワー制御部１２は、ｓ６で光ディスク１０へのデータの記録を開始してから、ｓ８で光ディスク１０へのデータの記録を停止するまでの間、光ディスク１０に照射するレーザ光のパワーをｓ２、またはｓ５で実行したＯＰＣで検出した最適記録パワーに制御する。
【００３５】
次に、ｓ１の範囲決定処理について詳細に説明する。図５は、このｓ１の範囲決定処理を示すフローチャートである。光ディスク装置１の制御部２は、温度検出部１５において検出されているＰＵ１１近傍の温度を取得する（ｓ１１）。制御部２は、記憶している温度補正データにおいて、ｓ１１で取得したＰＵ１１近傍の温度に対応付けられている中心パワーを読み出す（ｓ１２）。制御部２は、ｓ１２で読み出した中心パワーをレーザパワー制御部１２に通知する（ｓ１３）。レーザパワー制御部１２は、ｓ１３で通知された中心パワーに基づいて、ＯＰＣで光ディスク１０に照射するレーザ光のパワーを段階的に変化させる範囲を決定する（ｓ１４）。ｓ１４で決定される、ＯＰＣにおいて光ディスク１０に照射するレーザ光のパワーを変化させる段階数は、規格上のＯＰＣと同じ１５段階である。また、ＯＰＣにおいて光ディスク１０に照射するレーザ光のパワーを変化させる幅の大きさは、例えば７ｍＷである（０．５ｍＷ間隔で光ディスク１０に照射するレーザ光のパワーを段階的に変化させる。）。ｓ１４では、ｓ１３で通知された中心パワーを８段階目のレーザパワーとする範囲を、ＯＰＣで光ディスク１０に照射するレーザ光のパワーを段階的に変化させる範囲に決定する。
【００３６】
このように、この実施形態の光ディスク装置１では、ＯＰＣにおけるレーザ光のパワーを段階的に変化させる範囲の幅が、規格上のＯＰＣと同じ幅である。また、光ディスク１０にレーザ光を照射するＰＵ１１近傍の温度に基づいて、ＯＰＣにおけるレーザ光のパワーを段階的に変化させる範囲を決定する。このため、ここで決定した範囲内に、最適記録パワーが存在する可能性が極めて高い。言い換えれば、殆どの場合、ここで決定した範囲内に最適記録パワーが存在する。したがって、ｓ３で最適記録パワーが検出できなかったと判定される事態、すなわちＯＰＣが失敗する事態、が発生するのを略確実に防止できる。その結果、ＯＰＣの失敗にともなうＯＰＣの再実行（ｓ５にかかるＯＰＣ）による、光ディスク１０のＰＣＡの消費を十分に低減することができ、光ディスク１０のＰＣＡを使い切るという事態の発生が抑えられ、光ディスク１０のＰＣＡを使い切ったことが原因で、無駄になる光ディスク１０のデータの未記録領域を低減することができる。また、殆どの場合、ＯＰＣを再実行することがないので、最適記録パワーの検出に要する時間の増加が抑えられ、装置本体の信頼性を向上させることができる。
【００３７】
さらに、ＯＰＣを実行し最適記録パワーを検出したときに、ここで検出した最適記録パワーを用いて、制御部２が記憶する温度補正データを修正するようにしてもよい。図６は、この温度補正データ修正処理を示すフローチャートである。この温度補正データ修正処理は、ｓ２またはｓ５でＯＰＣを実行し、最適記録パワーが検出されたときに実行される。
【００３８】
光ディスク装置１は、今回検出された最適記録パワーと、今回温度補正データに基づいて決定した中心パワーとの差の絶対値が所定量、例えば１ｍＷ、以上であるかどうかを判定する（ｓ２１）。光ディスク装置１は、ｓ２１で所定量未満であると判定すると、制御部２に記憶している温度補正データが適正であると判断し、本処理を終了する。一方、ｓ２１で所定量以上であると判定すると、ｓ１１で取得したＰＵ１１近傍の温度に対応付けている中心パワーを、今回検出した最適記録パワーに修正し（ｓ２２）、本処理を終了する。
【００３９】
このように、ＯＰＣの実行にともなって、制御部２が記憶する温度補正データを修正することで、装置本体の使用環境の変化や、経時変化等に応じて温度補正データを修正することができる。これにより、ｓ１で決定される、ＯＰＣにおいて光ディスク１０に照射するレーザ光のパワーを段階的に変化させる範囲内に最適記録パワーが存在する可能性を一層高めることができる。したがって、装置本体の信頼性を一層向上できる。
【００４０】
なお、上記実施形態では、温度検出部１５がＰＵ１１近傍の温度を検出するとしたが、ＰＵ１１の近傍でない、装置本体内部の温度を検出する構成としてもよい。また、温度補正データは、温度検出部１５により検出される温度を用いて、中心パワーを算出する関数等であってもよい。
【図面の簡単な説明】
【００４１】
【図１】この発明の実施形態である光ディスク装置の主要部の構成を示すブロック図である。
【図２】この発明の実施形態である光ディスク装置の記録／読取部の構成を示す図である。
【図３】この発明の実施形態である光ディスク装置における温度補正データを示す図である。
【図４】この実施形態の光ディスク装置における記録処理を示すフローチャートである。
【図５】ｓ１にかかる範囲決定処理を示すフローチャートである。
【図６】温度補正データ修正処理を示すフローチャートである。
【符号の説明】
【００４２】
１−光ディスク装置
２−制御部
３−入力部
４−記録データ処理部
５−記録／読取部
６−読取データ処理部
７−出力部
８−操作部
１０−光ディスク
１１−ピックアップヘッド（ＰＵ）
１２−レーザパワー制御部
１３−信号処理部
１４−サーボ制御部
１５−温度検出部
【図１】
2007080348.tif 000003
【図２】
2007080348.tif 000004
【図３】
2007080348.tif 000005
【図４】
2007080348.tif 000006
【図５】
2007080348.tif 000007
【図６】
2007080348.tif 000008